(57)【特許請求の範囲】
【請求項１】
ポンプ（１）とこのポンプ（１）を駆動する原動機（２）とを搭載する合成樹脂からなる中空の架台（１０）と、この架台（１０）に取り付けられる合成樹脂からなる中空の薬剤タンク（２０）とを備えた背負式動力噴霧機（Ｓ）において、
前記架台（１０）の上部および前記薬剤タンク（２０）の下部にそれぞれ、板状の板部（１５，２６）が形成され、これらの板部（１５，２６）に形成された貫通孔（１６，２７）に挿通される固定具（４１，４２）により、前記架台（１０）と前記薬剤タンク（２０）とが結合され、
前記薬剤タンク（２０）の前記板部（２６）が左右中央部に形成され、この板部（２６）の下側に、前記薬剤タンク（２０）の左右両側の空間を連通する連通部（２８）が形成されていることを特徴とする背負式動力噴霧機（Ｓ）。
【請求項２】
前記架台（１０）の上部に前記薬剤タンク（２０）の凹部（２３）が載置されていることを特徴とする請求項１に記載の背負式動力噴霧機（Ｓ）。
【発明の詳細な説明】
【０００１】
【発明の属する技術分野】
本発明は、背負式動力噴霧機等に関する。
【０００２】
【従来の技術】
図３および図４に示すように、従来から、ポンプ１とこのポンプ１を駆動するエンジン２とを搭載する合成樹脂からなる中空の架台３と、この架台３の上部に取り付けられた合成樹脂からなる中空の薬剤タンク４とを備えた背負式動力噴霧機Ｓ１が知られている。
この背負式動力噴霧機Ｓ１においては、架台３と薬剤タンク４とは次のようにして結合されている。すなわち、図３に示すように、薬剤タンク４の後壁の下部には、この薬剤タンク４の成形時にナット５がモールド（インサート）して埋設されており、一方架台３の上部には板部６が形成され、この板部６に貫通孔７が形成されている。そして、この貫通孔７にボルト８が挿通され、ボルト８がナット５に締め付けられている。
【０００３】
【発明が解決しようとする課題】
しかしながら、この従来の背負式動力噴霧機Ｓ１にあっては、架台３と薬剤タンク４とを結合するために、薬剤タンク４にナット５が埋設されているので、成形に手間がかかり、製造コストが高くなるとともに、ナット５の埋設部から割れ等が発生し易いという問題がある。さらに、合成樹脂製の薬剤タンク４をリサイクル処理するときに、ナット５を分離する必要があるため、手間がかかるという問題がある。
【０００４】
本発明は、上記事情に鑑みて為されたもので、薬剤タンクにナット等を埋設することなく、架台と薬剤タンクとを結合することができるようにすることにより、製造コストを低減することができるとともに、薬剤タンクの損傷を低減することができ、かつ薬剤タンクのリサイクル処理を容易化することができる背負式動力噴霧機を提供することを目的とする。
【０００５】
【課題を解決するための手段】
上記目的を達成するために、請求項１に記載の背負式動力噴霧機は、ポンプ（１）とこのポンプ（１）を駆動する原動機（２）とを搭載する合成樹脂からなる中空の架台（１０）と、この架台（１０）に取り付けられる合成樹脂からなる中空の薬剤タンク（２０）とを備えた背負式動力噴霧機（Ｓ）において、前記架台（１０）の上部および前記薬剤タンク（２０）の下部にそれぞれ、板状の板部（１５，２６）が形成され、これらの板部（１５，２６）に形成された貫通孔（１６，２７）に挿通される固定具（４１，４２）により、前記架台（１０）と前記薬剤タンク（２０）とが結合され、前記薬剤タンク（２０）の前記板部（２６）が左右中央部に形成され、この板部（２６）の下側に、前記薬剤タンク（２０）の左右両側の空間を連通する連通部（２８）が形成されていることを特徴とする。
【０００６】
請求項１に記載の発明においては、薬剤タンクにナット等を埋設することなく、薬剤タンクと架台とを結合しているので、薬剤タンクの成形を容易に行うことができ、製造コストを低減することができるとともに、ナット等の埋設部からの割れ等をなくすことができる。また、合成樹脂からなる薬剤タンクをリサイクル処理するときに、埋設されたナット等を分離する必要がないので、リサイクル処理を容易化することができ、リサイクルコストを低減することができる。
また、薬剤タンクの板部の下側に、薬剤タンクの左右両側の空間を連通する連通部が形成されているので、これらの左右の空間を連通させつつ、薬剤タンクの下部の左右の部分を下方に延ばすことができる。その結果、薬剤タンクの重心を下げることができるとともに、下部の左右両側の空間内の薬剤を、薬剤タンクの下部から残さずにポンプに供給することができる。
【０００７】
請求項２に記載の背負式動力噴霧機は、請求項１に記載の発明において、前記架台（１０）の上部に前記薬剤タンク（２０）の凹部（２３）が載置されていることを特徴とする。
【０００８】
請求項２に記載の発明においては、架台と薬剤タンクとを結合するために、これらの板部同士を固定具により固定する際に、薬剤タンクの凹部を架台の上部に載せて行うことができるので、作業者が薬剤タンクを支持する負担を軽減することができ、組み立て作業を容易化することができる。
【００１３】
なお、上記における括弧内の符号は、図面において対応する要素を便宜的に表記したものであり、したがって本発明は図面上の記載に限定されるものではない。これは、「特許請求の範囲」の欄の記載についても同様である。
【００１４】
【発明の実施の形態】
以下、本発明の実施の形態を図面を参照して説明する。
図１および図２は、本発明の実施の形態に係る背負式動力噴霧機を示す図であって、図１は一部を切り欠いて示す側面図、図２は正面図である。なお、これらの図において、図３および図４と同一構成要素には同一符号を付してその説明を簡略化する。
この背負式動力噴霧機Ｓは、ポンプ１とこのポンプ１を駆動するエンジン（原動機）２とを搭載する合成樹脂からなる中空の架台１０と、この架台１０の上部に取り付けられた合成樹脂からなる中空の薬剤タンク２０とを備えている。
【００１５】
架台１０は、ブロー成形法により略Ｌ字状に形成されている。この架台１０の前方に水平に延びる載置部１１は、側縁部が下方に折り曲げられた四角板状に形成されており、この載置部１１上に、ポンプ１およびエンジン２が載置されてボルト等により固定されている。
架台１０の上方に鉛直に延びる背当部１２は、内部に空間１３を有する扁平な直方体状に形成されている。この背当部１２の上端部分は、背当部１２の左右方向に水平に延びる溝状に背当部１２の後面から前側に向かって窪まされて、縦断面形状がカップ状の凹部１４に形成されている。この凹部１４の底壁は鉛直方向に延びる板状の板部１５となっており、この板部１５には貫通孔１６が形成されている。また、凹部１４の上壁１７は板部１５の上端から背当部１２の後面側に向かって少し斜め上方に向かうように延びている。
背当部１２の凹部１４は、ブロー成形時に、背当部１２の後側から潰されることにより形成されている。
【００１６】
一方、薬剤タンク２０も、ブロー成形法により形成されている。この薬剤タンク２０の上端部中央には口部２１が形成されており、この口部２１に蓋３０が取り付けられている。また、薬剤タンク２０の後壁２２の下部には、架台１０の背当部１２の凹部１４に嵌合する箱状の凹部２３が形成されている。
また、薬剤タンク２０の前壁２４の下部の中央部には、概略箱状に窪んでいる凹部２５が形成されている。この凹部２５の底壁は、凹部２３の底壁の中央部と一体になって、鉛直方向に延びる板部２６となっており、この板部２６は、架台１０の背当部１２の凹部１４の板部１５の中央部に重なっている。板部２６には、貫通孔２７が形成されており、この貫通孔２７と板部１５の貫通孔１６にボルト（固定具）４１が挿通され、このボルト４１と該ボルト４１に螺合されたナット（固定具）４２とが締め付けられて、板部２６と板部１５とが固定されている。
【００１７】
凹部２５の下側には、薬剤タンク２０の内部空間の下部の左右の部分を連通する連通部（空間）２８が形成されている。
薬剤タンク２０の凹部２３および凹部２５はそれぞれ、ブロー成形時に、薬剤タンク２０の後側および前後から潰されて形成されている。凹部２３の底壁の中央部と凹部２５の底壁とが一体になっている板部２６は、後壁２２と前壁２４とが密着されることにより形成されている。
【００１８】
薬剤タンク２０の下面と架台１０の載置部１１の上面との間には、２つの支持部材５１，５１が左右に間隔をおいて介在されている。両支持部材５１，５１はそれぞれ、載置部１１の上面に下端を当接されて固定具により固定されているとともに、上端を薬剤タンク２０の下面に当接され、かつ上端部を薬剤タンク２０の下面に形成された突出片に固定具により固定されている。これにより、薬剤タンク２０の下面の左右両側がそれぞれ支持部材５１，５１により支持されている。
【００１９】
このように構成された背負式動力噴霧機Ｓにおいて、架台１０と薬剤タンク２０とを結合するには、架台１０の背当部１２の凹部１４に、薬剤タンク２０の凹部２３を嵌合させて、薬剤タンク２０を凹部１４の上壁１７に載せつつ、重なっている板部１５と板部２６の貫通孔１６および貫通孔２７にボルト４１を挿通し、このボルト４１とこのボルト４１の先端部に螺合されたナット４２とを締め付ける。
【００２０】
このような背負式動力噴霧機Ｓにあっては、薬剤タンク２０にナット等を埋設せずに、薬剤タンク２０と架台１０とを結合しているので、薬剤タンク２０の成形を容易に行うことができるため、製造コストを低減することができるとともに、ナット等の埋設部からの割れ等をなくすことができる。また、合成樹脂製の薬剤タンク２０をリサイクル処理するときに、埋設されたナット等を分離する必要がないため、リサイクル処理を容易化することができ、リサイクルコストを低減することができる。
【００２１】
さらに、架台１０と薬剤タンク２０とを結合するために、板部１５と板部２６とをボルト４１とナット４２により締結する際に、薬剤タンク２０の凹部２３を嵌合させて、薬剤タンク２０を凹部１４の上壁１７に載せて行うことができるので、作業者が薬剤タンク２０を支持する負担を軽減することができ、組み立て作業を容易化することができる。
加えて、薬剤タンク２０の板部２６の下側に、薬剤タンク２０の内部空間の下部の左右の部分を連通する連通部２８が形成されているので、これらの左右の空間を連通させつつ、薬剤タンク２０の下部の左右の部分を下方に延ばすことができる。このため、薬剤タンク２０の重心を下げることができるとともに、下部の左右の空間内の薬液等の薬剤を、薬剤タンク２０の下部の吸水口からポンプ１に残さずに供給することができる。
【００２２】
【発明の効果】
以上説明したように、本発明の背負式動力噴霧機によれば、薬剤タンクにナット等を埋設することなく、架台と薬剤タンクとを結合することができるので、薬剤タンクの製造コストを低減することができるとともに、薬剤タンクの損傷を低減することができ、かつ薬剤タンクのリサイクル処理を容易化することができる。
また、薬剤タンクの板部の下側に、薬剤タンクの左右両側の空間を連通する連通部が形成されているので、これらの左右の空間を連通させつつ、薬剤タンクの下部の左右の部分を下方に延ばすことができ、その結果、薬剤タンクの重心を下げることができるとともに、下部の左右両側の空間内の薬剤を、薬剤タンクの下部から残さずにポンプに供給することができる。
【図面の簡単な説明】
【図１】本発明の実施の形態に係る背負式動力噴霧機を一部を切り欠いて示す側面図である。
【図２】同、正面図である。
【図３】従来の背負式動力噴霧機を一部を切り欠いて示す側面図である。
【図４】同、正面図である。
【符号の説明】
Ｓ    背負式動力噴霧機
１    ポンプ
２    エンジン（原動機）
１０    架台
１５    板部
１６    貫通孔
２０    薬剤タンク
２３    凹部
２６    板部
２７    貫通孔
２８    連通孔
４１    ボルト（固定具）
４２    ナット（固定具）
【図１】
0003800321.tif 000002
【図２】
0003800321.tif 000003
【図３】
0003800321.tif 000004
【図４】
0003800321.tif 000005